(57)【要約】      （修正有）【課題】ＣＰＵとコンピュータケースの冷却を結合させて全体としての冷却効率を高めることができる冷却装置の提供。【解決手段】コンピュータケースの底板前方に入風口が開設され、底板下方にパッド部が設けられ、マザーボードが底板上方に固定され、マザーボードに位置するＣＰＵの上方に横向きにヒートシンクが設けられ、その周囲がカバーで被覆され、その前方に直立軸流送風ファンが設けられ、ヒートシンクに向けて水平気流を送り、別にコンピュータケースの背板に排風口が設けられ、その内側板面に遠心式排風ファンが設けられ、並びに延伸されたカバーが該排風ファンの入風口に接続され、ヒートシンクに送られた気流が、カバーを介して該排風ファンに導入され、排風ファンによりコンピュータケース外に排出され、これによりコンピュータケース内部の全体の冷却気流循環を完成し、コンピュータケース内部の急速な降温を達成する。【選択図】図３
0003102084.tif 000002
【実用新案登録請求の範囲】
【請求項１】
底板の前方に入風口が開設され、且つ該底板の下方にパッド部が設けられたコンピュータケースと、
該コンピュータケース内に取り付けられ、ＣＰＵが配置されたマザーボードと、
該ＣＰＵの上に固定され、水平方向の流道を具えたヒートシンクと、
該ヒートシンクの側辺の流道入口端に固定され、空気を流道内に送る送風ファンと、
該コンピュータケースの背板に固定され、該コンピュータケース内の空気を外部に排出する排風ファンと、
該ヒートシンクの側方向周囲を被覆し、後縁が該排風ファンの入風口部分に接続されたカバーと、
を具えたことを特徴とする、コンピュータケースの冷却装置。
【請求項２】
請求項１記載のコンピュータケースの冷却装置において、流道の方向がコンピュータケースにおいて縦向きとされたことを特徴とする、コンピュータケースの冷却装置。
【請求項３】
請求項１記載のコンピュータケースの冷却装置において、ヒートシンクが水平重畳式或いは直立式とされたことを特徴とする、コンピュータケースの冷却装置。
【請求項４】
請求項１記載のコンピュータケースの冷却装置において、排風ファンが遠心ファン或いは軸流ファンとされたことを特徴とする、コンピュータケースの冷却装置。
【請求項５】
請求項１記載のコンピュータケースの冷却装置において、送風ファンが軸流ファンとされたことを特徴とする、コンピュータケースの冷却装置。
【請求項６】
請求項１記載のコンピュータケースの冷却装置において、マザーボードがコンピュータケースのコンピュータケースの底板の上方に横向きに設置され、且つ底板の入風口を遮蔽しないことを特徴とする、コンピュータケースの冷却装置。
【請求項７】
請求項１記載のコンピュータケースの冷却装置において、ヒートシンクの一部或いは全部が排風ファンの入風口部分まで延伸されたことを特徴とする、コンピュータケースの冷却装置。
【請求項８】
請求項１記載のコンピュータケースの冷却装置において、入風口が底板の前端部分或いはその両側辺の前端部分に位置することを特徴とする、コンピュータケースの冷却装置。
【請求項９】
請求項１記載のコンピュータケースの冷却装置において、パッド部が足パッドとされたことを特徴とする、コンピュータケースの冷却装置。
【考案の詳細な説明】
【技術分野】
【０００１】
本考案は一種のコンピュータケースの冷却装置に係り、特に、小型コンピュータケースに適用され、且つＣＰＵの冷却とコンピュータケース内部全体の冷却を一括して行なうことができる冷却装置に関する。
【背景技術】
【０００２】
コンピュータ性能の不断の向上に伴い、コンピュータの冷却の要求も高くなっている。コンピュータの熱源はＣＰＵのほか、その他の部品、例えばチップセット（特にノースブリッジチップ）、ディスプレイチップ、ハードディスク、書き込み装置及びメモリモジュール（ＲＡＭモジュール）等とされ、それらはいずれも性能の向上により熱源となる。現在、コンピュータ内部の熱源はＣＰＵのみが主要な熱源とされた昔とは異なり、他の熱源が多く存在する状況にあり、発熱量が多くなり、熱源もますます多くなることは将来的に避けられない発展傾向である。さらに、小型コンピュータケースが多く採用されるようになり、ベアボーン及び更に小型のミニベアボーン等が中、大型のデスクトップコンピュータに代わる傾向にある。このような小型コンピュータケースの冷却条件は大型コンピュータケースよりも更に厳しく、更に高い冷却要求を有する。ゆえに、現在のコンピュータケースの冷却は各発熱部品に対して単独の冷却器で個別冷却を行なう従来の方式に加えて、即ち、コンピュータケースに取り付けたファンでコンピュータケース内外の対流を強制的に強化し、基本的な冷却要求を満足させる必要がある。図１に示されるのは、典型的な中、大型コンピュータの冷却装置であり、それは、コンピュータケースの前板に入風口Ａが設けられ、背板に排風ファンＢが設けられ、ＣＰＵ及びその冷却ファンＣが両者の間に位置し、上板と背板の間に電源供給器Ｄが設けられ、その内部にも排風ファンＤ１が設けられてなる。このような構造は、コンピュータケース外の冷たい空気を入風口よりコンピュータケース内に進入させ、ＣＰＵの周囲の熱を奪わせ、さらに排風ファンＢ、Ｄ１で熱気をコンピュータケース外に排出し、こうして強制的な対流循環を形成している。小型コンピュータケース中の冷却構造は基本的にこれと十分に類似しているが、ただし小型コンピュータケース中のマザーボードは通常底板上方に横向きに設置されている。しかし、このような冷却システム中、一般にＣＰＵに設置される冷却ファンＣの排出する熱気は周囲に拡散し、それと排風ファンＢの間に緊密な接続がないために、その熱気が排風ファンＢによりコンピュータケース外に完全には排出されず、コンピュータケース内に一部の熱がこもり、冷却効果が不足した。また、小型コンピュータケースについては、その前板の空間にフレキシブルディスクドライブ、ＣＤドライブ及びスイッチ等の装置を設置しなければならず、入風口を開設する空間を提供することは難しく、もし側板に入風口を開設すると、造形上の美観に影響が生じ、且つコンピュータケースを緊密に壁に当てて設置できなくなる。ゆえに入風口を側板に設置すると、コンピュータケースの設置位置の選択性に影響が生じ、使用者に対して使用上の制限を形成した。
【考案の開示】
【考案が解決しようとする課題】
【０００３】
本考案の主要な目的は、コンピュータケースの冷却装置を提供することにあり、それはコンピュータケース、特に小型コンピュータケースの全体の冷却装置を提供するものであり、ＣＰＵとコンピュータケースの冷却を結合させて全体性の冷却装置としたもので、ＣＰＵ及びコンピュータケース全体の冷却効率を高めることのできる装置であるものとする。
【０００４】
本考案の次の目的は、コンピュータケースの冷却装置を提供することにあり、それは入風口がコンピュータケースの底板に開設されて、前板の空間を占用せず、またコンピュータケースの設置位置を制限する側板に開設する必要がなく、小型コンピュータケースの前板の完全な設計と収容空間を提供し、また、入風口を完全に視線範囲外に隠し、コンピュータケースの全体感を高めるものとする。
【課題を解決するための手段】
【０００５】
請求項１の考案は、底板の前方に入風口が開設され、且つ該底板の下方にパッド部が設けられたコンピュータケースと、
該コンピュータケース内に取り付けられ、ＣＰＵが配置されたマザーボードと、
該ＣＰＵの上に固定され、水平方向の流道を具えたヒートシンクと、
該ヒートシンクの側辺の流道入口端に固定され、空気を流道内に送る送風ファンと、
該コンピュータケースの背板に固定され、該コンピュータケース内の空気を外部に排出する排風ファンと、
該ヒートシンクの側方向周囲を被覆し、後縁が該排風ファンの入風口部分に接続されたカバーと、
を具えたことを特徴とする、コンピュータケースの冷却装置としている。
請求項２の考案は、請求項１記載のコンピュータケースの冷却装置において、流道の方向がコンピュータケースにおいて縦向きとされたことを特徴とする、コンピュータケースの冷却装置としている。
請求項３の考案は、請求項１記載のコンピュータケースの冷却装置において、ヒートシンクが水平重畳式或いは直立式とされたことを特徴とする、コンピュータケースの冷却装置としている。
請求項４の考案は、請求項１記載のコンピュータケースの冷却装置において、排風ファンが遠心ファン或いは軸流ファンとされたことを特徴とする、コンピュータケースの冷却装置としている。
請求項５の考案は、請求項１記載のコンピュータケースの冷却装置において、送風ファンが軸流ファンとされたことを特徴とする、コンピュータケースの冷却装置としている。
請求項６の考案は、請求項１記載のコンピュータケースの冷却装置において、マザーボードがコンピュータケースのコンピュータケースの底板の上方に横向きに設置され、且つ底板の入風口を遮蔽しないことを特徴とする、コンピュータケースの冷却装置としている。
請求項７の考案は、請求項１記載のコンピュータケースの冷却装置において、ヒートシンクの一部或いは全部が排風ファンの入風口部分まで延伸されたことを特徴とする、コンピュータケースの冷却装置としている。
請求項８の考案は、請求項１記載のコンピュータケースの冷却装置において、入風口が底板の前端部分或いはその両側辺の前端部分に位置することを特徴とする、コンピュータケースの冷却装置としている。
請求項９の考案は、請求項１記載のコンピュータケースの冷却装置において、パッド部が足パッドとされたことを特徴とする、コンピュータケースの冷却装置としている。
【考案の効果】
【０００６】
本考案のコンピュータケースの冷却装置は、コンピュータケース、特に小型コンピュータケースの全体の冷却装置を提供するものであり、ＣＰＵとコンピュータケースの冷却を結合させて全体性の冷却装置としたもので、ＣＰＵ及びコンピュータケース全体の冷却効率を高めることのできる装置である。
【０００７】
本考案のコンピュータケースの冷却装置は、入風口がコンピュータケースの底板に開設されて、前板の空間を占用せず、またコンピュータケースの設置位置を制限する側板に開設する必要がなく、小型コンピュータケースの前板の完全な設計と収容空間を提供し、また、入風口を完全に視線範囲外に隠し、コンピュータケースの全体感を高める。
【考案を実施するための最良の形態】
【０００８】
本考案によると、コンピュータケースの底板前方に入風口が開設され、底板下方にパッド部が設けられ、マザーボードが底板上方に固定され、マザーボードに位置するＣＰＵの上方に横向きにヒートシンクが設けられ、その周囲がカバーで被覆され、その前方に直立軸流送風ファンが設けられ、ヒートシンクに向けて水平気流を送り、別にコンピュータケースの背板に排風口が設けられ、その内側板面に遠心式排風ファンが設けられ、並びに延伸されたカバーが該排風ファンの入風口に接続され、ヒートシンクに送られた気流が、カバーを介して該排風ファンに導入され、排風ファンによりコンピュータケース外に排出され、これによりコンピュータケース内部の全体の冷却気流循環を完成し、コンピュータケース内部の急速な降温を達成する。
【実施例１】
【０００９】
図２、３、４は、本考案の斜視図、側面図、及び平面図である。本考案はコンピュータケースの底板１の前方に入風口１１が開設され、該入風口１１が底板１の前端部分或いはその両側辺の前端部分に位置し、該入風口１１の上方が中空とされ、マザーボード２或いはその他部品に遮蔽されず、底板１の下方がパッド部１２で持ち上げられ、これにより入風口１１の下方もまた中空に保持され、該パッド部１２は高い足パッドとされ得て、これにより風を順調に導入する。図示されるマザーボード２は一般の小型コンピュータケースに常用される横置式とされ、即ち、マザーボード２は水平方向に底板１の上方に固定され、ＣＰＵ３はマザーボード２のやや後方の部分に配置され、該ＣＰＵ３の上方にヒートシンク３１が設けられ、該ヒートシンク３１は水平重畳式とされ、その間の流道もまた水平方向とされ、該ヒートシンク３１の側向周囲がカバー４で被覆され、該ヒートシンク３１の前方に軸流送風ファン３２が固定され、それは気流をヒートシンク３１内に送り、カバー４の被覆により気流が側方向に送られず、僅かにヒートシンク３１の後方より排出される。且つ送風ファン３２はヒートシンク３１の前方の側部に配置され、ゆえにその発生する気流はＣＰＵ３を冷却するだけでなく、コンピュータケース内部の空気を流動させ、コンピュータケース内の空気に循環流動を発生させる。ヒートシンク３１の後方のコンピュータケースの背板６に遠心式排風ファン５が固定され、その入風口は前方に位置し、出風口は背板６側に位置し、ヒートシンク３１の一部或いは全部が該排風ファン５の入風口部分に延伸され、且つ該出風口のある背板６部分に排風口６１が開設されて、コンピュータケース内部の空気が該排風口６１よりコンピュータケース外部に排出される。カバー４の後端は延伸されて該排風ファン５の入風口に接続され、並びに該入風口の形状に合わせて特定の形状（例えば図４中に示される扇形）とされ、該カバー４が風管の作用を形成し、ヒートシンク３１内に流入する気流を完全に排風ファン５に案内し、さらに排風ファン５によりコンピュータケース外に排出する。この構造により、コンピュータケース外部の空気は入風口１１よりコンピュータケース内に導入され、送風ファン３２によりヒートシンク３１に送られ、ヒートシンク３１の熱を奪った後に、カバー４及び排風ファン５により外部に放出され、こうして半クローズ式の強制対流管道を形成する。この対流管道はコンピュータケース内で負圧を形成し、ゆえに外部空気が自動的に入風口１１より不断にコンピュータケース内に流入し、極めて良好な冷却効果を達成する。
【００１０】
図５は本考案のヒートシンク３１’のもう一つの実施例を示し、それは縦向き直立式とされ、送風ファン３２が空気流道の一端に固定され、即ち横向きの気流を発生してもう一端より流出させる。排風ファン５部分は遠心ファンを採用するのに限定されるわけではないが、上述の実施例は小型コンピュータケースの実施例であり、ゆえに背板６の占用空間の小さい遠心式排風ファンを採用している。コンピュータケースが大きかったり、或いは背板に大きな収容空間がある場合は、軸流ファンもまた適用可能である。また、本考案は直立式マザーボード２のコンピュータケースにも適用可能で、同様に優れた冷却効果を達成できる。このほか、その他の本考案の精神を運用して同じ効果を達成しうる変換は、いずれも本考案の請求範囲に属するものとする。
【図面の簡単な説明】
【００１１】
【図１】周知のコンピュータケースの冷却装置の表示図である。
【図２】本考案の斜視図である。
【図３】本考案の側面図である。
【図４】本考案の平面図である。
【図５】本考案のヒートシンクのもう一つの実施例表示図である。
【符号の説明】
【００１２】
１  底板
１１  入風口
１２  パッド部
２  マザーボード
３  ＣＰＵ
３１  ヒートシンク
３１’  ヒートシンク
３２  送風ファン
４  カバー
５  排風ファン
６  背板
６１  排風口
Ａ  入風口
Ｂ  排風ファン
Ｃ  冷却ファン
Ｄ  電源供給器
Ｄ１  排風ファン
【図１】
0003102084.tif 000003
【図２】
0003102084.tif 000004
【図３】
0003102084.tif 000005
【図４】
0003102084.tif 000006
【図５】
0003102084.tif 000007